(57)【特許請求の範囲】
【請求項１】
多基部布ベルトであって、
前記ベルトの機械側に隣接する合成重合体樹脂基部層と、
自らの表面に防護層を含むよう処理された弾性糸を織ることで形成される、前記ベルトの製品形成側に隣接する弾性基部層と、
前記ベルトの機械側に配置された第１のバット層と、
前記ベルトの製品形成側に配置された第２のバット層と、
を備え、
前記第１のバット層は、前記合成重合体基部層に付着し、前記第１のバット層は、機械側の接触表面を提供し、
前記第２のバット層は、前記弾性基部層に付着し、前記第２のバット層は、製造側の接触表面を提供することを特徴とする多基部布ベルト。
【請求項２】
前記合成重合体基部層は、合成重合体樹脂糸を織って又は編んで作られたものであることを特徴とする請求項１に記載の多基部布ベルト。
【請求項３】
前記合成重合体糸は、モノフィラメント、撚りをかけたモノフィラメント、マルチフィラメント又は撚りをかけたマルチフィラメントであることを特徴とする請求項２に記載の多基部布ベルト。
【請求項４】
前記合成重合体樹脂は、ポリアミド樹脂又はポリエステル樹脂であることを特徴とする請求項１に記載の多基部布ベルト。
【請求項５】
前記弾性糸は、天然ゴム、ニトリルゴム、シリコーンゴムからなるグループから、又は、ポリウレタン及びポリエチレングリコールのブロック共重合体から選択されることを特徴とする請求項１に記載の多基部布ベルト。
【請求項６】
前記防護層は、重合体コーティングであることを特徴とする請求項１に記載の多基部布ベルト。
【請求項７】
前記防護層は、シリコーンコーティングであることを特徴とする請求項６に記載の多基部布ベルト。
【請求項８】
前記重合体コーティングは、ポリウレタンであることを特徴とする請求項６に記載の多基部布ベルト。
【請求項９】
前記防護層は、弾性糸にメルトボンドした鞘部であることを特徴とする請求項１に記載の多基部布ベルト。
【請求項１０】
前記バット層の少なくともいずれか又は両方は、ニードリングによって付着され、該ニードリングによる付着は、：
前記第１のバット層はニードリングによって、前記合成重合体基部層及び前記弾性基部層に結合する；
前記第２のバット層はニードリングによって、前記合成重合体基部層及び前記弾性基部層に結合する；
のいずれか又は双方を含むことを特徴とする請求項１に記載の多基部布ベルト。
【請求項１１】
前記弾性糸は、少なくとも１つの弾性糸を備える核部と、該核部を覆っている少なくとも１つの繊維の防護層と、を有する複合糸であることを特徴とする請求項１に記載の多基部布ベルト。
【請求項１２】
前記少なくとも１つの繊維の防護層は、ねじれて又は螺旋状に配置されるというやり方で前記核部を覆っていることを特徴とする請求項１１に記載の多基部布ベルト。
【請求項１３】
前記弾性糸は、少なくとも１つの弾性糸を備える核部と、該核部を覆っている繊維の第１の防護層及び繊維の第２の防護層と、を有する複合糸であることを特徴とする請求項１に記載の多基部布ベルト。
【請求項１４】
前記繊維の第１の防護層は、第１の方向で前記核部を覆っており、及び、前記繊維の第２の防護層は、第１の方向とは反対の方向である第２の方向で該繊維の第１の防護層を覆っていることを特徴とする請求項１３に記載の多基部布ベルト。
【請求項１５】
前記少なくとも１つの繊維の防護層は、重合体コーティングをさらに有することを特徴とする請求項１１に記載の多基部布ベルト。
【請求項１６】
前記繊維の第１の防護層及び繊維の第２の防護層は、重合体コーティングをさらに有することを特徴とする請求項１３に記載の多基部布ベルト。
【請求項１７】
多基部布ベルトであって、
前記ベルトの機械側に隣接する、合成重合体樹脂糸からなる織られた又は編まれた第１の基部層と、
前記ベルトの製品形成側に隣接する、防護層を含む弾性糸からなる織られた第２の基部層と、
前記ベルトの機械側に配置された第１のバット層と、
前記ベルトの製品形成側に配置された第２のバット層と、
を備え、
前記第１のバット層は、前記織られた又は編まれた第１の基部層に付着し、前記第１のバット層は、機械側の接触表面を提供し、
前記第２のバット層は、前記織られた第２の基部層に付着し、前記第２のバット層は、製造側の接触表面を提供することを特徴とする多基部布ベルト。
【請求項１８】
前記織られた又は編まれた第１の層に用いられている前記糸は、モノフィラメント、撚りをかけたモノフィラメント、マルチフィラメント又は撚りをかけたマルチフィラメントであることを特徴とする請求項１７に記載の多基部布ベルト。
【請求項１９】
前記合成重合体樹脂は、ポリアミド樹脂又はポリエステル樹脂であることを特徴とする請求項１７に記載の多基部布ベルト。
【請求項２０】
前記弾性糸は、天然ゴム、ニトリルゴム、シリコーンゴムからなるグループから、又は、ポリウレタン及びポリエチレングリコールのブロック共重合体から選択されることを特徴とする請求項１７に記載の多基部布ベルト。
【請求項２１】
前記防護層は、重合体コーティングであることを特徴とする請求項１７に記載の多基部布ベルト。
【請求項２２】
前記防護層は、シリコーンコーティングであることを特徴とする請求項２１に記載の多基部布ベルト。
【請求項２３】
前記重合体コーティングは、ポリウレタンであることを特徴とする請求項２１に記載の多基部布ベルト。
【請求項２４】
前記防護層は、弾性糸にメルトボンドした鞘部であることを特徴とする請求項１７に記載の多基部布ベルト。
【請求項２５】
前記バット層の少なくともいずれか又は両方は、ニードリングによって付着され、該ニードリングによる付着は：
前記第１のバット層は、ニードリングによって、前記織られた又は編まれた第１の基部層及び前記織られた第２の基部層に結合する；
前記第２のバット層は、ニードリングによって、前記織られた又は編まれた第１の基部層及び前記織られた第２の基部層に結合する；
のいずれか又は双方を含むことを特徴とする請求項１７に記載の多基部布ベルト。
【請求項２６】
前記弾性糸は、少なくとも１つの弾性糸を備える核部と、該核部を覆っている少なくとも１つの繊維の防護層と、を有する複合糸であることを特徴とする請求項１７に記載の多基部布ベルト。
【請求項２７】
前記少なくとも１つの繊維の防護層は、ねじれて又は螺旋状に配置されるというやり方で前記核部を覆っていることを特徴とする請求項２６に記載の多基部布ベルト。
【請求項２８】
前記弾性糸は、少なくとも１つの弾性糸を備える核部と、該核部を覆っている繊維の第１の防護層及び繊維の第２の防護層と、を有する複合糸であることを特徴とする請求項１７に記載の多基部布ベルト。
【請求項２９】
前記繊維の第１の防護層は、第１の方向で前記核部を覆っており、及び、前記繊維の第２の防護層は、第１の方向とは反対の方向である第２の方向で該繊維の第１の防護層を覆っていることを特徴とする請求項２８に記載の多基部布ベルト。
【請求項３０】
前記少なくとも１つの繊維の防護層は、重合体コーティングをさらに有することを特徴とする請求項２６に記載の多基部布ベルト。
【請求項３１】
前記繊維の第１の防護層及び繊維の第２の防護層は、重合体コーティングをさらに有することを特徴とする請求項２８に記載の多基部布ベルト。
【請求項３２】
多基部布ベルトであって、
前記ベルトの機械側に隣接する、合成重合体樹脂糸からなる織られた又は編まれた第１の基部層と、
前記ベルトの製品形成側に隣接する、弾性糸からなる織られた第２の基部層と、
前記織られた又は編まれた第１の基部層と前記織られた第２の基部層の間に配置された第１のバット層と、
前記ベルトの機械側に配置された第２のバット層と、
前記ベルトの製品形成側に配置された第３のバット層と、
を備え、
前記第２のバット層は、前記織られた又は編まれた第１の基部層に付着し、前記第２のバット層は、機械側の接触表面を提供し、
前記第３のバット層は、前記織られた第２の基部層に付着し、前記第３のバット層は、製造側の接触表面を提供することを特徴とする多基部布ベルト。
【請求項３３】
前記織られた又は編まれた第１の層に用いられている前記糸は、モノフィラメント、撚りをかけたモノフィラメント、マルチフィラメント又は撚りをかけたマルチフィラメントであることを特徴とする請求項３２に記載の多基部布ベルト。
【請求項３４】
前記合成重合体樹脂は、ポリアミド樹脂又はポリエステル樹脂であることを特徴とする請求項３２に記載の多基部布ベルト。
【請求項３５】
前記弾性糸は、天然ゴム、ニトリルゴム、シリコーンゴムからなるグループから、又は、ポリウレタン及びポリエチレングリコールのブロック共重合体から選択されることを特徴とする請求項３２に記載の多基部布ベルト。
【請求項３６】
前記弾性糸は、防護層をさらに有することを特徴とする請求項３２に記載の多基部布ベルト。
【請求項３７】
前記防護層は、重合体コーティングであることを特徴とする請求項３６に記載の多基部布ベルト。
【請求項３８】
前記防護層は、シリコーンコーティングであることを特徴とする請求項３７に記載の多基部布ベルト。
【請求項３９】
前記重合体コーティングは、ポリウレタンであることを特徴とする請求項３７に記載の多基部布ベルト。
【請求項４０】
前記防護層は、弾性糸にメルトボンドした鞘部であることを特徴とする請求項３６に記載の多基部布ベルト。
【請求項４１】
少なくとも１つ以上のバット層は、ニードリングによって付着され、該ニードリングによる付着は：
前記第２のバット層は、ニードリングによって、前記織られた又は編まれた第１の基部層、前記第１のバット層、及び前記織られた第２の基部層に結合する；
前記第３のバット層は、ニードリングによって、前記織られた又は編まれた第１の基部層、前記第１のバット層、及び前記織られた第２の基部層に結合し、前記第３のバット層は、製造側の接触表面を提供する；
のいずれか又は双方を含むことを特徴とする請求項３２に記載の多基部布ベルト。
【請求項４２】
前記弾性糸は、少なくとも１つの弾性糸を備える核部と、該核部を覆っている少なくとも１つの繊維の防護層と、を有する複合糸であることを特徴とする請求項３２に記載の多基部布ベルト。
【請求項４３】
前記少なくとも１つの繊維の防護層は、ねじれて又は螺旋状に配置されるというやり方で前記核部を覆っていることを特徴とする請求項４２に記載の多基部布ベルト。
【請求項４４】
前記弾性糸は、少なくとも１つの弾性糸を備える核部と、該核部を覆っている繊維の第１の防護層及び繊維の第２の防護層と、を有する複合糸であることを特徴とする請求項３２に記載の多基部布ベルト。
【請求項４５】
前記繊維の第１の防護層は、第１の方向で前記核部を覆っており、及び、前記繊維の第２の防護層は、第１の方向とは反対の方向である第２の方向で該繊維の第１の防護層を覆っていることを特徴とする請求項４４に記載の多基部布ベルト。
【請求項４６】
前記少なくとも１つの繊維の防護層は、重合体コーティングをさらに有することを特徴とする請求項４２に記載の多基部布ベルト。
【請求項４７】
前記繊維の第１の防護層及び繊維の第２の防護層は、重合体コーティングをさらに有することを特徴とする請求項４４に記載の多基部布ベルト。
【請求項４８】
前記防護層は、弾性糸に噴霧塗装又は浸漬塗装したものであることを特徴とする請求項１に記載の多基部布ベルト。
【請求項４９】
前記防護層は、弾性糸に噴霧塗装又は浸漬塗装したものであることを特徴とする請求項１７に記載の多基部布ベルト。
【請求項５０】
前記防護層は、弾性糸に噴霧塗装又は浸漬塗装したものであることを特徴とする請求項３６に記載の多基部布ベルト。
【請求項５１】
前記防護層は、弾性糸に噴霧塗装又は浸漬塗装したものであることを特徴とする請求項４４に記載の多基部布ベルト。
【発明の詳細な説明】
【技術分野】
【０００１】
本発明は、布製品一般に関する。より詳細には、本発明は、編み布を仕上げる又は圧縮するために使用される織機ベルトに関する。
【背景技術】
【０００２】
一般的に、このタイプの機械布又はベルトは、布の製造においてよく使用されている。より詳細には、本発明のものと同様のタイプの織機ベルトは、所謂、圧縮ベルトとして使用されている。圧縮ベルトは、例えば編み布といった材料に防縮加工を施すための特殊な機械（圧縮機械）において使用される。圧縮機械によって加工された材料は、事実上、最初に洗浄される間は防縮効果を維持している。この加工は一般的に、衣料の製造において使用される。
【０００３】
布圧縮機械において使用される標準的なベルトは、通常、比較的に厚みを有しており、それは１６ｍｍから２２ｍｍの範囲にある。圧縮機械ベルトは、典型的には、ポリアミド、ポリエステル及びアラミド繊維を使用して製造される。布圧縮機械が使用されるとき、ベルトは、異なる直径をしばしば有している幾つかのローラ又はシリンダの周囲を覆うような形態で、幾つかの循環工程において使用されることが求められる。ベルトがその機械を通過するにつれて、その内側面及び外側面は、ローラからローラへと渡るときに反転する。
【０００４】
図１に示されているのは、一般的な布圧縮機械である。圧縮ベルト２は、機械側内面４と製品側外面６とを有しており、図において矢印で示されている方向に進行し、まず、駆動ローラ８の周囲を覆う。駆動ローラ８の地点において、圧縮されるべき布又は生地１０は、圧縮機械の中に導かれ、圧縮ベルト２の外面６と接触するように配置される。生地１０は、圧縮ベルト２によって運ばれ、圧縮ベルト２と蒸気加熱されたシリンダ１２の間に挟まれる。圧縮ベルト１２と蒸気加熱されたシリンダ１２の間において生地１０を圧縮すること及び蒸気で生地を加熱することで生じる結合効果によって、例えば、生地１０は寸法的に安定し防縮効果を有する織布材料生地となる。
【０００５】
しかしながら、圧縮ベルトの厚さには問題がある。ベルト２が駆動ローラ８の周囲を覆うとき、その機械側内面４は圧縮され縮むのであるが、製品側外面８は引き延ばされ伸張する。ベルト２の曲がる方向が蒸気加熱されたシリンダ１２において反転するとき、製品側外面６は圧縮され縮む一方、機械側内面４は引き延ばされ伸張する。このように、ベルトの反対表面の圧縮及び引き延ばしが変化することによって、図１にあるように、ベルトの要素は箱形１３になったり、台形状１５になったりする。
【０００６】
ベルト２の引き延ばし及び圧縮のために、製品側外面６は一定かつ滑らかになることができない。結果として、製品側外面６は不規則となり、加工された衣料の表面に傷などの問題を生じさせる。加えて、ベルトにひび割れが生じ、ベルトの使用寿命が制限されることにもなる。また、その使用寿命は、シリンダ又はローラの周囲を圧縮ベルトが動くことだけでなく、ベルトに及ぼされる他の影響、例えば加工される材料からベルトに入り込む酸性塗料又は漂白剤などの残留物によっても低下する。
【０００７】
上記問題を解決するために、従来技術において様々な方策がなされてきた。例えば、特許文献１では、下地布と、ベルト層と、弾性編み布と、最上部層とからなる織機ベルトが開示されている。そこに記載されているように、弾性編み布は縦糸、又は編みスリーブの形状をした環状織物である。機械ベルトの弾性は編まれている弾性布の物理的構造によってもたらされている。なぜならば、ある種の編み布は弾性を有しているからである。すなわち、編み布の構造によって、物品の統一性に影響を与えることなく、拡張と接触（引き延ばしと圧縮）を行うことが可能なのである。
【０００８】
本発明のベルトは、特許文献１のベルトとは下記の点で異なる。すなわち、本発明のベルトの弾性基部層は弾性繊維を用いて平織りされたものであり、非弾性繊維を用いて編まれたものではない。したがって、本発明のベルトの弾性は、平織りされた基部層に弾性繊維を使用しているという点で異なっている。故に、本発明のベルトは、様々な織布法を使用して製造されることが可能であり、特許文献１の場合におけるように、縦糸編み又は環状編み技術に限定されることがない。さらに、本発明のベルトの構造は、下記の点でも異なっている。すなわち、本発明のベルトの製品側外面及び機械側内面は、基部層の中にニードリングされたバット繊維からなっている。特許文献１のベルトは、間に編み層３が沈積している“引き延ばされた”フェルト層２及び繊維層４に関する。しかしまたそこでも、弾性は、弾性材料自体ではなく、編み構造によって与えられている。
【特許文献１】米国特許第６４７９４１４号明細書
【発明の開示】
【発明が解決しようとする課題】
【０００９】
したがって、ベルトにおいては、その機械側表面が不均一になり、結果として加工された衣料に傷が生じないように、その表面が入れ替わることによって繰り返される引き延ばし及び圧縮を耐える必要性がある。さらに、様々な織布法を使用して製造されることが可能なようにすることも必要とされている。本発明は、先行技術のベルトと関係する以上の欠点を克服することに向けられている。
【課題を解決するための手段】
【００１０】
したがって、本発明の主な目的は、ベルトの望まれる特性に不利な影響を与えることなく、引き延ばしと圧縮を繰り返して変更することが可能なベルトを提供することである。
【００１１】
本発明のさらなる目的は、様々なローラ又はシリンダの周囲をベルトが覆うとき、そのベルトの位置に基づいて、その表面を引き延ばしかつ伸張すること、及び圧縮かつ短くすることが可能なベルトを提供することである。
【００１２】
また、本発明の他の目的は、少なくとも基部層の１つが弾性である、多層の基部からなるベルトを提供することである。
【００１３】
本発明のさらなる目的は、弾性基部層を有する弾性ベルトを提供することであり、そのベルトの弾性は弾性基部層を構成するために使用される弾性繊維から得られる。
【００１４】
また、本発明のさらなる目的は、ベルトの機械側内面及び製品側外面の双方のためにニードリングされたバット層を有する弾性ベルトを提供することである。
【００１５】
また、本発明の他の目的は、様々な布製造の方法を使用して製造されることが可能な弾性ベルトを提供することである。
【００１６】
また、本発明のさらなる目的は、より耐久性のあるベルトを提供することであり、それによって使用寿命が増加する。
【００１７】
これらの及び他の目的及び利点は、本発明によってもたらされる。これに関して、本発明は布を製造する際に使用される機械ベルトに向けられている。本発明のベルトは、通常の基部層と、弾性基部層と、各々の基部層の外側の表面から両方の基部層の中へとニードリングをなすためのバット繊維層と、からなっている。弾性基部層は平織りで作られており、天然ゴム、ニトリルゴム又はシリコーンゴムからなる弾性繊維を使用することで構成されている。加えて、合成材料、限定されはしないが例えばライクラ（ＬＹＣＲＡ）（登録商標）やエラスタン（ＥＬＡＳＴＡＮ）（登録商標）が弾性基部層を構成するために使用されてもよい。バットニードリング加工の間に弾性繊維を重大なダメージから保護するために、弾性繊維は、例えばポリウレタンやシリコーンといった重合体樹脂によってコーティングされている。別法では、弾性繊維が主に核部にあり、その周囲をポリエステルなどで覆って外側層とした複合糸へと、弾性繊維を加工することが可能である。この外側層は、弾性核部の周囲でねじれて又は螺旋状に配置されているマルチフィラメントでも、又は全てがマルチフィラメント構成よりなっていてもよい。ニードリングによる重大なダメージから複合弾性糸をさらに保護するために、複合糸は、ポリエチレンやシリコーンといった重合体樹脂によってコーティングされることも可能である。
【００１８】
本発明を特徴づける新規性に関する様々な特徴は、本開示の一部を形成している付属の請求項において特に指摘されている。本発明、その使用利点及びそれを使用することによって得られる特別な目的をより理解するために、本発明の好ましい実施形態が、対応する構成要素が同じ参照番号によって指示されている付属の図面に示されているので、そういった付属記載事項も参照して頂きたい。
【発明を実施するための最良の形態】
【００１９】
本発明は、布製造において使用される多基部ニードリングベルトに関する。前述したように、先行技術のベルトでは、その非弾性質のために、ベルトの表面にひび割れや不均一が生じやすく、結果として加工される衣料に傷が生じる可能性があるという問題があった。加えて、先行技術のベルトに関しては、ベルトの使用寿命が短いという問題もある。
【００２０】
本発明では、先行技術のベルトよりも、より弾性を有し及びより使用可能時間の長いベルトを提供する。図２には、本発明の一実施形態にしたがって構成された、ニードリングされた多基部ベルトの構造が示されている。そこにあるように、通常の基部層１４はベルト２の機械側内面４に隣接して配置されており、弾性基部層１６はベルト２の製品側外面１６に隣接して配置されている。通常基部層１４と弾性基部層１６を互いに接着させるために、上部又は外側バット層１８と底部又は内側バット層２０では、両方の基部層１４及び１６のなかに向かって各々の基部層の外側表面からニードリングが行われる。そうすることで、ニードリングされたバット繊維２２が前記の２つの層を互いに物理的に結合させる。また、バット層１８及び２０は、製品側及び機械側の接触面を提供する。
【００２１】
図３には、本発明の他の実施形態にしたがって構成されたニードリングされた多基部ベルトが示されている。そこにあるように、通常の基部層１４はベルト２の機械側内面４に隣接して配されており、弾性基部層１６はベルト２の製品側外面に隣接して配置されている。しかし、この実施形態においては、通常基部層１４と弾性基部層１６は付加バット層２４によって分離している。ベルト２に前記付加バット層２４を付加することによって、弾性基部層１６はベルト２の製品側外面６により近い位置に配される。通常基部層１４と付加バット層２４と弾性基部層１６を互いに付着させるために、上部又は外側バット層１８及び底部又は内側バット層２０は、各々の基部層の外側表面から付加バット層２４及び両方の基部層１４及び１６の中へとニードリングされる。これによって、ニードリングされたバット繊維２２は、３つの層を互いに物理的に結合させる。また、バット層１８及び２０は、製造側及び機械側の接触表面を提供する。図４は、本発明の本実施形態にしたがって構成されたベルトの断面図の写真である。
【００２２】
上記の実施形態の双方において、弾性基部層１６をベルト２の製品側外面６の近くに配置することで、ベルトがより柔軟になっている。したがって、ベルト２の柔軟性が増大することによって、外部バット層１８において不均一性や不規則性が生じることが減少し、よって、加工される衣料の傷が減少する。当業者にとっては明らかなことであるが、ベルト２の機械側内面４に隣接して弾性基部層１６を有することも可能である。これによって、ベルトの機械側内面４の柔軟性も同様に増加させることができる。
【００２３】
通常の基部層１４は、モノフィラメント、撚りをかけたモノフィラメント、マルチフィラメント又は撚りをかけたマルチフィラメントの糸や繊維から織られる又は編まれる。そういった糸は一般的に、ポリアミドやポリエステルの樹脂といった合成重合体樹脂の１つから押し出し成形され、前記樹脂はこの目的のために当業者によって一般的に使用されるものである。
【００２４】
弾性基部層１６は、好ましくは平織りで作られている。しかし、標準的な弾性繊維では、ニードリングがその繊維に損傷を与えてしまうので、ニードリング加工に適してはいない。よって、それを弾性基部層１６のために使用することができない。したがって、弾性繊維は、物理的又は化学的な処理をされた防護層を含むようにさらに加工されることが求められる。弾性層１６に使用するのに適した弾性繊維としては、限定されはしないが、天然ゴム、ニトリルゴム又はシリコーンゴムや、ライクラ（ＬＹＣＲＡ）（登録商標）及びエラスタン（ＥＬＡＳＴＡＮ）（登録商標）がある。弾性繊維を保護する方法の１つとして、弾性繊維が主に糸の核部又は中心部分にあり、その周りを例えばポリアミドやポリエステルといった繊維の外側防護層で覆っている形態の複合糸になるように、繊維を加工するやり方がある。この外側防護層は、弾性核部の周囲でねじれて又は螺旋状になって配置されているマルチフィラメント糸である、又は、それはどのようなマルチフィラメント構造であってもよい。
【００２５】
ポリアミドやポリエステルといった繊維が外側防護層として使用されるとき、弾性核部の繊維の弾性を維持するために、外側防護層は互いに反対方向に弾性核部の周囲を螺旋状に覆った２つの繊維層から構成される。すなわち、図５に示されているように、外側防護層の第１の繊維層５０は、一方向に向かって弾性核部５６上を覆っている、又は螺旋状に配置されている。第１の繊維層５０がそのように配置されている一方、第２の繊維層５２は、第１の繊維層の方向とは反対の方向に向かって第１の繊維層５０上を覆っている、又は螺旋状に配置されている。
【００２６】
このような構成においては、螺旋状に配置された外側防護層は、弾性複合繊維に張力がかけられておらず緩んでいるときに、“閉じられた”状態にある。これによって、外側防護層によって十分に覆われている弾性核部５６は、ニードリング加工の間における重大なダメージから保護される。図５に示されているように、複合糸５８が図に指示されて方向に張力をかけられて又は引き延ばされて配置されている場合、外側防護層の螺旋状に配置された第１の繊維５０及び第２の繊維５２は、“Ｘ”型５４に“開く”。こうすることで、弾性核部５６、したがって複合糸５８は、図に指示されている方向に引き延ばされる又は拡張することが可能となる。
【００２７】
別法では、弾性繊維は、例えばポリウレタンやシリコーンといった重合体コーティングを適用することによって保護されることも可能である。弾性繊維をコーティングによって処理することで、ニードリングによる重大なダメージを防ぐことができ、バット繊維と弾性糸の間の好ましい接着も可能となる。また、これらのコーティングは、ニードリングによる重大なダメージに対するさらなる防護を提供し、バット繊維と弾性糸の間の良好な接着を確かなものとするために、複合糸に適用することも可能である。保護コーティングは、弾性糸に噴霧塗布又は浸漬塗布するコーティング法をさらに含む。また、コーティングは、メルトボンドによって糸に適用してもよいし、又は、例えば押し出し成形する間に、あるいは糸製造における従来技術である他の方法で糸を製造する間に、所謂、被覆／核部糸を製造してもよい。弾性糸の表面を処理するための付加的な方法は、当業者にとっては明らかなものである。
【００２８】
さらに、本発明のベルトの弾性は弾性糸又は繊維から構成される弾性層によって得られるので、本発明のベルトは平織りに限定されることがない。それ以外にも、当業者にとって既知のものである付加的な布形成技術を本発明の弾性層を構成するために使用してもよい。
【００２９】
加えて、ニードリングがラミネート構造の諸層を１つにまとめるための方法である一方、それ以外の他の方法も当業者には明らかである。例えば、熱溶融によるラミネート化又は接着は、特にある層の構成要素が低い融点の材料である場合に利用することが可能である。これに関して、バット層は、“低融点”バインダ繊維を有し、特にその場合、バットは内部バット層を有している。ニードリングと熱溶融又は目的に適した他の接着機構とを組み合わせることも可能である。これに関して、そのような組み合わせでは、構造を一つに保持するために必要とされるニードリングの全体量を減少させるので、結果として弾性糸に対するダメージを最小限に抑えることが可能である。例えば溶融接着の場合、溶融の量や“低融点”材料の量及びその位置は、ベルトが厚さ方向に圧縮及び回復（復元）するのと同様に機械方向に伸張及び弛緩するように望ましいやり方でベルトを作るために必要なこととバランスを取って決定されることが求められる。“溶融”し過ぎてしまうと、望ましい弾性挙動に影響を与えるので、適切なバランスをとる必要がある。
【００３０】
本発明の好ましい実施形態及びその変形態はこれまで詳細に記載されてきたが、本発明はこの詳細な実施形態及び変形態に限定されはせず、付属の請求項によって規定されている本発明の精神及び範囲から逸脱しない限り、他の変形態及び別様態が当業者によってなされることも可能である。本発明にしたがうベルトの使用は、布を防縮加工するための機械に適用するだけに限られない。言い換えれば、本発明のベルトは、上述してきたような要求がベルトの品質及び使用寿命の点において存在する場合ならば、いかようにも使用されることが可能である。
【図面の簡単な説明】
【００３１】
【図１】布圧縮機械の断面図である。
【図２】本発明の一実施形態にしたがう、ニードリングされた多基部ベルトの断面図である。
【図３】本発明の一実施形態にしたがう、ニードリングされた多基部ベルトの断面図である。
【図４】図３の実施形態にしたがって製造された、ニードリングされた多基部ベルトの断面図である。
【図５】本発明の一実施形態にしたがう、外側防護層の二重繊維層を示す、複合糸の側面の拡大図である。
【符号の説明】
【００３２】
２  圧縮ベルト
４  機械側内面
６  製品側外面
８  駆動ローラ
１０  布又は生地
１２  シリンダ
１３  箱形部
１４  基部層
１５  台形状部
１６  弾性基部層
１８  上部又は外側バット層
２０  底部又は内側バット層
２２  バット繊維
２４  付加バット層
５０  第１の繊維層
５２  第２の繊維層
５４  Ｘ型
５６  弾性核部
５８  複合糸
【図１】
0005491732.tif 000002
【図２】
0005491732.tif 000003
【図３】
0005491732.tif 000004
【図４】
0005491732.tif 000005
【図５】
0005491732.tif 000006